(57)【要約】  【課題】  回路構成が簡単であって回路規模が大きくなることがなく、良好な増幅特性が得られて製造コストを安価にできる高周波増幅器を提供する。  【解決手段】  受信ＶＨＦ／ＵＨＦテレビジョン信号を増幅する並列配置された第１及び第２増幅段を備え、第１増幅段は入力端子２２Ｉと第１出力端子２２Ｖ間に直列接続したゲート接地の第１及び第２ＦＥＴ１、２を、第２増幅段は入力端子２２Ｉと第２出力端子２２Ｕ間に直列接続したゲート接地の第３及び第４ＦＥＴ３、４を有し、第１増幅段と第２増幅段の増幅動作の切替は、外部設定切替電圧に応答して第１ＦＥＴ１または第３ＦＥＴ３の一方を選択的に正常バイアス、他方を逆バイアスにそれぞれ設定する動作切替部５により行われる。  【選択図】  図１
2006135518.tif 000002
【特許請求の範囲】
【請求項１】
アンテナで受信したＶＨＦ／ＵＨＦテレビジョン信号を増幅する並列的に配置された第１及び第２増幅段を有する高周波増幅器であって、前記第１増幅段は共通入力端子とＶＨＦ信号選択回路が接続される第１出力端子との間に直列接続したゲート接地形式の第１及び第２ＦＥＴを有し、前記第２増幅段は前記共通入力端子とＵＨＦ信号選択回路が接続される第２出力端子との間に直列接続したゲート接地形式の第３及び第４ＦＥＴを有するもので、前記第１増幅段と前記第２増幅段との増幅動作の切替は、外部設定された切替電圧に応答して前記第１ＦＥＴまたは前記第３ＦＥＴの一方を選択的に正常バイアス状態に、他方を逆バイアス状態にそれぞれ設定する動作切替部によって行われることを特徴とする高周波増幅器。
【請求項２】
前記動作切替部は、ベースが前記第３ＦＥＴのゲートに、コレクタが前記第１ＦＥＴのゲート及び電源回路に、エミッタが前記共通入力端子にそれぞれ接続されたバイアス状態切替用トランジスタと、前記第３ＦＥＴのゲートに接続され、前記第１増幅段の増幅動作切替時に接地電圧、前記第２増幅段の増幅動作切替時に正電圧を供給する切替電圧供給回路とからなるものであることを特徴とする請求項１に記載の高周波増幅器。
【請求項３】
前記第１増幅段の前記第２ＦＥＴ及び前記第２増幅段の前記第４ＦＥＴは、それぞれゲートに利得制御電圧が供給され、供給された利得制御電圧によって増幅動作切替時の前記第１増幅段または増幅動作切替時の前記第２増幅段の信号利得が制御されることを特徴とする請求項１に記載の高周波増幅器。
【請求項４】
前記共通入力端子と前記第１ＦＥＴ及び前記第３ＦＥＴの各ソースの接続点間に直列にＰＩＮダイオードを接続し、前記第１ＦＥＴまたは前記第３ＦＥＴのソース電流をこのＰＩＮダイオードに流し、それにより前記ＰＩＮダイオードのインピーダンス値を制御するようにしたことを特徴とする請求項１に記載の高周波増幅器。
【請求項５】
請求項１に記載の高周波増幅器を前置増幅器とし、前記高周波増幅器の出力側にＶＨＦ信号選択回路及びＵＨＦ信号選択回路を接続したＶＨＦ／ＵＨＦテレビジョンチューナであって、前記ＶＨＦ信号選択回路をＶＨＦ用複同調回路、前記ＵＨＦ信号選択回路をＵＨＦ用複同調回路で構成し、前記ＶＨＦ用複同調回路の出力側にＶＨＦテレビジョン信号を増幅するＶＨＦ増幅器と増幅したＶＨＦテレビジョン信号を中間周波信号に変換する第１ミキサとが接続され、前記ＵＨＦ用複同調回路の出力側にＵＨＦテレビジョン信号を増幅するＵＨＦ増幅器と増幅したＵＨＦテレビジョン信号を中間周波信号に変換する第２ミキサとが接続されていることを特徴とするＶＨＦ／ＵＨＦテレビジョンチューナ。
【発明の詳細な説明】
【技術分野】
【０００１】
本発明は、ＶＨＦ／ＵＨＦテレビジョンチューナに用いられる高周波増幅器に係り、特に、受信したＶＨＦ／ＵＨＦテレビジョン信号を増幅するもので、回路構成が簡単であって回路規模が大きくならず、良好な増幅特性が得られる高周波増幅器に関する。
【背景技術】
【０００２】
従来、ＶＨＦ／ＵＨＦテレビジョンチューナにおいては、受信したＶＨＦ／ＵＨＦテレビジョン信号をＶＨＦテレビジョン信号とＵＨＦテレビジョン信号とに分配する第１及び第２入力同調回路と、ＶＨＦテレビジョン信号を増幅する第１高周波増幅器及びＵＨＦテレビジョン信号を増幅する第２高周波増幅器と、ＶＨＦテレビジョン信号に同調する第１段間同調回路及びＵＨＦテレビジョン信号に同調する第２段間同調回路と、ＶＨＦテレビジョン信号を第１局部発振回路が出力する第１局部発振信号と周波数混合する第１ミキサ及びＵＨＦテレビジョン信号を第２局部発振回路が出力する第２局部発振信号と周波数混合する第２ミキサとを有しており、第１入力同調回路と第１高周波増幅器と第１段間同調回路と第１局部発振回路と第１ミキサとによってＶＨＦチューナ部が構成され、第２入力同調回路と第２高周波増幅器と第２段間同調回路と第２局部発振回路と第２ミキサとによってＵＨＦチューナ部が構成される。
【０００３】
ここで、図３は、既知のＶＨＦ／ＵＨＦテレビジョンチューナの構成の一例を示すブロック図であって、特開２０００−２２４００８号公報に開示されたＶＨＦ／ＵＨＦテレビジョンチューナに係るものである。
【０００４】
図３に示されるように、このＶＨＦ／ＵＨＦテレビジョンチューナは、アンテナ入力端子３１と、中間周波信号出力端子３２と、第１入力同調回路３３と、第２入力同調回路３４と、第１高周波増幅器３５と、第２高周波増幅器３６と、第１段間同調回路３７と、第２段間同調回路３８と、第１ミキサ３９と、第２ミキサ４０と、第１局部発振回路４１と、第２局部発振回路４２と、ＡＧＣ電圧入力端子４３とからなっている。そして、第１入力同調回路３３、第１高周波増幅器３５、第１段間同調回路３７、第１ミキサ３９、第１局部発振回路４１からなる回路部分がＶＨＦチューナ部３０Ｖを構成しており、第２高周波増幅器３６、第２段間同調回路３８、第２ミキサ４０、第２局部発振回路４２からなる回路部分がＵＨＦチューナ部３０Ｕを構成している。また、第１ミキサ３９と第２ミキサ４０は、集積回路化されたチューナＩＣを構成している。
【０００５】
前記構成を有するＶＨＦ／ＵＨＦテレビジョンチューナは、次のように動作する。
【０００６】
ＶＨＦテレビジョン信号がアンテナ入力端子３１に供給されると、第１入力同調回路３３は、そのＶＨＦテレビジョン信号を選択抽出し、第１高周波増幅器３５に供給する。第１高周波増幅器３５は、供給されたＶＨＦテレビジョン信号を所定信号レベルになるように増幅し、第１段間同調回路３７に供給する。第１段間同調回路３７は、ＶＨＦテレビジョン信号の中の不要周波数信号を除去し、第１ミキサ３９に供給する。第１ミキサ３９は、供給されたＶＨＦテレビジョン信号と第１局部発振回路４１から出力された第１局部発振信号とを周波数混合し、その出力に中間周波信号を発生する。このようにして得られた中間周波信号は、中間周波信号出力端子３２を通して次続回路に供給される。
【０００７】
また、ＵＨＦテレビジョン信号がアンテナ入力端子３１に供給されると、第２入力同調回路３４は、そのＵＨＦテレビジョン信号を選択抽出し、第２高周波増幅器３６に供給する。第２高周波増幅器３６は、供給されたＵＨＦテレビジョン信号を所定信号レベルになるように増幅し、第２段間同調回路３８に供給する。第２段間同調回路３８は、ＵＨＦテレビジョン信号の中の不要周波数信号を除去し、第２ミキサ４０に供給する。第２ミキサ４０は、供給されたＵＨＦテレビジョン信号と第２局部発振回路４２から出力された第２局部発振信号とを周波数混合し、その出力に中間周波信号を発生する。このようにして得られた中間周波信号は、中間周波信号出力端子３２を通して次続回路に供給される。
【０００８】
一方、ＶＨＦ／ＵＨＦテレビジョンチューナにおいては、ＶＨＦテレビジョン信号増幅器とＵＨＦテレビジョン信号増幅器をそれぞれ別個に構成する代わりに、一体化したＶＨＦ／ＵＨＦテレビジョン信号共用増幅器を構成し、ＶＨＦ／ＵＨＦテレビジョン信号増幅器の構成を簡素化するとともに、小型化に寄与するＶＨＦ／ＵＨＦテレビジョンチューナも既に開発されており、その一例として特開２００２−３６８６３９号公報に開示されたＶＨＦ／ＵＨＦテレビジョンチューナがある。
【０００９】
この特開２００２−３６８６３９号公報に開示されたＶＨＦ／ＵＨＦテレビジョンチューナは、ＶＨＦテレビジョン信号増幅段とＵＨＦテレビジョン信号増幅段とを内蔵した集積回路構成された高周波共用増幅器を有するもので、切替信号の供給により選択的にＶＨＦテレビジョン信号増幅段またはＵＨＦテレビジョン信号増幅段の一方が動作状態に、他方が動作状態に設定されるものである。
【００１０】
図４は、かかる特開２００２−３６８６３９号公報に開示されたＶＨＦ／ＵＨＦテレビジョンチューナにおける高周波共用増幅器の構成を示す回路図である。
【００１１】
図４に示されるように、この高周波共用増幅器は、それぞれ第１ゲート（Ｇ１）、第２ゲート（Ｇ２）、ドレイン（Ｄ）、ソース（Ｓ）を有する第１の２重ゲート型ＦＥＴ５１及び第２の２重ゲート型ＦＥＴ５２と、ゲート（Ｇ）、ドレイン（Ｄ）、ソース（Ｓ）を備えた第３のＦＥＴ５３と、４つの抵抗５４乃至５７とを有する集積回路５０を具備しており、集積回路５０に８つの端子５０ａ乃至５０ｈが導出されている。また、集積回路５０の外部には、ＶＨＦ入力同調回路５８と、ＵＨＦ入力同調回路５９と、アンテナ入力端子６０と、ピーキングコイル６１と、抵抗６２、６３、６４、６５と、ダイオード６６と、電源端子６７と、切替電圧供給端子６８と、ＡＧＣ電圧供給端子６９がそれぞれ設けられ、全体として高周波共用増幅器が構成されている。
【００１２】
そして、集積回路５０内において、第１の２重ゲート型ＦＥＴ５１は、ドレインが端子５０ｈに、ソースが端子５０ｇに、第１ゲートが端子５０ａに、第２ゲートが端子５０ｂにそれぞれ接続され、第２の２重ゲート型ＦＥＴ５２は、ドレインが端子５０ｆに、ソースが端子５０ｅに、第１ゲートが端子５０ｄに、第２ゲートが抵抗５６を通して端子５０ａにそれぞれ接続される。第３のＦＥＴ５３は、ドレインが端子５０ｃに、ソースが端子５０ｇに、ゲートが抵抗５７を通して端子５０ｄにそれぞれ接続される。抵抗５４は、第１の２重ゲート型ＦＥＴ５１の第１ゲートと第３のＦＥＴ５３のドレイン間に接続され、抵抗５５は、第１の２重ゲート型ＦＥＴ５１のソースと第２の２重ゲート型ＦＥＴ５２のソース間に接続される。
【００１３】
また、集積回路５０外において、ＶＨＦ入力同調回路５８は、入力端がアンテナ入力端子６０に、出力端が端子５０ａにそれぞれ接続される。ＵＨＦ入力同調回路５９は、入力端がダイオード６６を通してアンテナ入力端子６０に、出力端が端子５０ｄにそれぞれ接続される。ピーキングコイル６１と抵抗６２の直列回路は、端子５０ｄと切替電圧供給端子６８との間に接続される。抵抗６３は、端子５０ｂとＡＧＣ電圧供給端子６９との間に接続される。抵抗６４は、端子５０ｃと電源端子６７との間に接続される。抵抗６５は、端子５０ｃとＵＨＦ入力同調回路５９の入力端との間に接続される。
【００１４】
前記構成を備えたＶＨＦ／ＵＨＦテレビジョンチューナにおける高周波共用増幅器は、次のように動作する。
【００１５】
切替電圧供給端子６８にハイレベルの切替電圧が供給されたとき、その切替電圧が第２の２重ゲート型ＦＥＴ５２の第１ゲート及び第３のＦＥＴ５３のゲートに加わり、第２の２重ゲート型ＦＥＴ５２が動作状態になり、第３のＦＥＴ５３がオンになる。第３のＦＥＴ５３がオンになると、そのドイレン電圧がゼロ電圧近くまで低下し、低下した電圧がダイオード６６のカソードに加わり、ダイオード６６がオンになる。これにより、入力端子６０に供給されたテレビジョン信号がＵＨＦ入力同調回路５９に供給され、ＵＨＦ入力同調回路５９においてテレビジョン信号の中のＵＨＦテレビジョン信号が選択され、選択されたＵＨＦテレビジョン信号が第２の２重ゲート型ＦＥＴ５２で増幅される。この場合、第２の２重ゲート型ＦＥＴ５２の第１ゲートと第３のＦＥＴ５３のゲートとの間に抵抗５７が接続されているので、ＵＨＦテレビジョン信号が第３のＦＥＴ５３に供給されることはない。また、第２の２重ゲート型ＦＥＴ５２の第２ゲートにはＡＧＣ電圧供給端子６９からＡＧＣ電圧が供給され、第２の２重ゲート型ＦＥＴ５２の信号利得が制御される。なお、この時点には、第１の２重ゲート型ＦＥＴ５１の第１ゲートは、ゼロ電圧近くまで低下するので、第１の２重ゲート型ＦＥＴ５１は非動作状態になり、ＶＨＦテレビジョン信号が第１の２重ゲート型ＦＥＴ５１で増幅されない。
【００１６】
一方、切替電圧供給端子６８にローレベルの切替電圧が供給されたとき、その切替電圧が第２の２重ゲート型ＦＥＴ５２の第１ゲート及び第３のＦＥＴ５３のゲートに加わり、第２の２重ゲート型ＦＥＴ５２が非動作状態になり、第３のＦＥＴ５３がオフになる。第３のＦＥＴ５３がオフになると、そのドイレン電圧が電源電圧近くまで増大し、増大した電圧が第１の２重ゲート型ＦＥＴ５１の第１ゲート及びダイオード６６のカソードに加わり、第１の２重ゲート型ＦＥＴ５１が動作状態になり、ダイオード６６がオフになる。これにより、入力端子６０に供給されたテレビジョン信号がＶＨＦ入力同調回路５８だけに供給され、ＶＨＦ入力同調回路５８においてテレビジョン信号の中のＶＨＦテレビジョン信号が選択され、選択されたＶＨＦテレビジョン信号が第１の２重ゲート型ＦＥＴ５１で増幅される。この場合、第１の２重ゲート型ＦＥＴ５１の第１ゲートと第３のＦＥＴ５３のドレインとの間に抵抗５４が接続されているので、ＶＨＦテレビジョン信号が第３のＦＥＴ５３の浮遊容量を通してリークすることがない。
【特許文献１】特開２０００−２２４００８号公報
【特許文献２】特開２００２−３６８６３９号公報
【発明の開示】
【発明が解決しようとする課題】
【００１７】
前記特開２０００−２２４００８号公報に開示されたＶＨＦ／ＵＨＦテレビジョンチューナは、ＶＨＦチューナ部３０ＶとＵＨＦチューナ部３０Ｕとを有しており、しかも、ＶＨＦチューナ部３０Ｖは、第１入力同調回路３３、第１高周波増幅器３５、第１段間同調回路３７、第１ミキサ３９、第１局部発振回路４１からなり、ＵＨＦチューナ部３０Ｕは、第２入力同調回路３４、第２高周波増幅器３６、第２段間同調回路３８、第２ミキサ４０、第２局部発振回路４２からなっているので、全体的に構成要素が多くなり、その結果、ＶＨＦ／ＵＨＦテレビジョンチューナが大型にならざるを得ず、しかも、製造コストが高価になる。
【００１８】
これに対して、特開２００２−３６８６３９号公報に開示されたＶＨＦ／ＵＨＦテレビジョンチューナにおける高周波共用増幅器は、ＶＨＦ／ＵＨＦテレビジョンチューナの増幅器部分がＶＨＦ／ＵＨＦ共用になっているので、その分、ＶＨＦ／ＵＨＦテレビジョンチューナが小型化され、製造コストを低減することができるものの、高周波共用増幅器に外部回路を接続したときに、その外部回路を含んだ高周波共用増幅器の増幅特性が必ずしも満足できるものでない。
【００１９】
本発明は、このような技術的背景に鑑みてなされたもので、その目的は、回路構成が簡単であって回路規模が大きくなることがなく、良好な増幅特性が得られて製造コストを安価にできる高周波増幅器を提供することにある。
【課題を解決するための手段】
【００２０】
前記目的を達成するために、本発明による高周波増幅器は、アンテナで受信したＶＨＦ／ＵＨＦテレビジョン信号を増幅する並列的に配置された第１及び第２増幅段を有するものであって、第１増幅段は共通入力端子とＶＨＦ信号選択回路が接続される第１出力端子との間に直列接続したゲート接地形式の第１及び第２ＦＥＴを有し、第２増幅段は共通入力端子とＵＨＦ信号選択回路が接続される第２出力端子との間に直列接続したゲート接地形式の第３及び第４ＦＥＴを有するもので、第１増幅段と第２増幅段との増幅動作の切替は、外部設定された切替電圧に応答して第１ＦＥＴまたは第３ＦＥＴの一方を選択的に正常バイアス状態に、他方を逆バイアス状態にそれぞれ設定する動作切替部によって行われる手段を具備する。
【００２１】
この場合、前記手段における動作切替部は、ベースが第３ＦＥＴのゲートに、コレクタが第１ＦＥＴのゲート及び電源回路に、エミッタが共通入力端子にそれぞれ接続されたバイアス状態切替用トランジスタと、第３ＦＥＴのゲートに接続され、第１増幅段の増幅動作切替時に接地電圧、第２増幅段の増幅動作切替時に正電圧を供給する切替電圧供給回路とからなる構成を具備している。
【００２２】
また、前記手段における第１増幅段の第２ＦＥＴ及び第２増幅段の第４ＦＥＴは、それぞれゲートに利得制御電圧が供給され、供給された利得制御電圧によって増幅動作切替時の第１増幅段または増幅動作切替時の第２増幅段の信号利得が制御される構成を具備している。
【００２３】
さらに、前記手段において、共通入力端子と第１ＦＥＴ及び第３ＦＥＴの各ソースの接続点間に直列にＰＩＮダイオードを接続し、第１ＦＥＴまたは第３ＦＥＴのソース電流をこのＰＩＮダイオードに流し、それによりＰＩＮダイオードのインピーダンス値を制御するようにした付加的手段をを具備している。
【００２４】
前記手段による高周波増幅器を含むＶＨＦ／ＵＨＦテレビジョンチューナは、当該高周波増幅器を前置増幅器とし、当該高周波増幅器の出力側にＶＨＦ信号選択回路及びＵＨＦ信号選択回路を接続したものであって、ＶＨＦ信号選択回路をＶＨＦ用複同調回路、ＵＨＦ信号選択回路をＵＨＦ用複同調回路で構成し、ＶＨＦ用複同調回路の出力側にＶＨＦテレビジョン信号を増幅するＶＨＦ増幅器と増幅したＶＨＦテレビジョン信号を中間周波信号に変換する第１ミキサとが接続され、ＵＨＦ用複同調回路の出力側にＵＨＦテレビジョン信号を増幅するＵＨＦ増幅器と増幅したＵＨＦテレビジョン信号を中間周波信号に変換する第２ミキサとが接続された手段を具備する。
【発明の効果】
【００２５】
このように、本発明の高周波増幅器によれば、ＶＨＦ／ＵＨＦテレビジョン信号を増幅する場合、並列配置した第１増幅段と第２増幅段を用い、第１増幅段を入力端子と第１出力端子間に直列接続したゲート接地形式の第１及び第２ＦＥＴで構成し、第２増幅段を入力端子と第２出力端子間に直列接続したゲート接地形式の第３及び第４ＦＥＴで構成し、第１出力端子にＶＨＦテレビジョン信号を選択するＶＨＦ信号選択回路を、第２出力端子にＵＨＦテレビジョン信号を選択するＵＨＦ信号選択回路をそれぞれ接続し、前者の回路でＶＨＦテレビジョン信号の選択、後者の回路でＵＨＦテレビジョン信号の選択とを行っているもので、第１及び第２増幅段の増幅利得を比較的高くすることができるとともに、低入力インピーダンスで高出力インピーダンス特性を持たせ、ＶＨＦ信号選択回路及びＵＨＦ信号選択回路の選択特性を良好にすることができ、しかも、全体の回路構成が簡単で、回路規模が大きくなることがなく、良好な増幅特性を得て、製造コストが安価なる高周波増幅器を得ることができるという効果がある。
【００２６】
また、本発明の高周波増幅器によれば、第１及び第２増幅段の増幅動作の切替えを、バイアス状態切替用トランジスタを用いて第１ＦＥＴまたは第３ＦＥＴを選択的に動作状態または非動作状態に切替えているので、動作切替部を簡単な回路構成のものにすることができるだけなく、確実に第１及び第２増幅段の増幅動作の切替えを行うことが可能になり、非動作状態にある増幅段を通して不要な信号成分が伝送されないという効果がある。
【００２７】
さらに、本発明の高周波増幅器によれば、第１及び第２増幅段の信号利得をＡＧＣ電圧で制御する際に、ＡＧＣ電圧を第２ＦＥＴ及び第４ＦＥＴの各ゲートに供給しているので、第１及び第２増幅段内に別途ＡＧＣ用の回路を設けることなく、第１及び第２増幅段の信号利得を制御できるという効果がある。
【００２８】
また、本発明の高周波増幅器において、第１ＦＥＴ及び第３ＦＥＴのソースに直列に、それらのソース電流が流れるＰＩＮダイオードを接続し、ＰＩＮダイオードのインピーダンス値をソース電流によって制御する構成にすると、ＡＧＣ電圧により第１及び第２増幅段の信号利得が大きくなった場合、第１ＦＥＴ及び第３ＦＥＴのソース電流が増大してＰＩＮダイオードのインピーダンスが減少し、一方、ＡＧＣ電圧により第１及び第２増幅段の信号利得が小さくなった場合、第１ＦＥＴ及び第３ＦＥＴのソース電流が減少してＰＩＮダイオードのインピーダンスが増大するので、ＡＧＣ機能を高めることができるという効果がある。
【００２９】
この他に、本発明の高周波増幅器を含むＶＨＦ／ＵＨＦテレビジョンチューナによれば、高周波増幅器の第１増幅段及び第２増幅段の各出力インピーダンスが高いので、第１増幅段及び第２増幅段の出力側にそれぞれ接続したＶＨＦ用複同調回路及びＵＨＦ用複同調回路の選択特性を充分に発揮させることができるという効果がある。
【発明を実施するための最良の形態】
【００３０】
以下、本発明の実施の形態を図面を参照して説明する。
【００３１】
図１は、本発明による高周波増幅器の一つの実施の形態に係わるもので、その要部構成を示す回路図である。
【００３２】
図１に示されるように、この実施の形態による高周波増幅器は、それぞれゲート（Ｇ）、ドレイン（Ｄ）、ソース（Ｓ）を有する第１ＦＥＴ１、第２ＦＥＴ２、第３ＦＥＴ３、第４ＦＥＴ４と、コレクタ（Ｃ）、エミッタ（Ｅ）、ベース（Ｂ）を有するバイポーラトランジスタ５と、ダイオード６と、抵抗７、８、９、１０とからなる集積回路１１を有し、この集積回路１１に６つの端子１１ａ乃至１１ｆを設けている。集積回路１１において、第１ＦＥＴ１及び第２ＦＥＴ２からなる回路部分は第１増幅段を構成しており、第３ＦＥＴ３及び第４ＦＥＴ４からなる回路部分は第２増幅段を構成している。
【００３３】
また、集積回路１１の外部には、インダクタ１２、１３、１４と、抵抗１５、１６と、切替スイッチ１７と、バイアス電源１８と、側路コンデンサ１９（１）、１９（２）、１９（３）と、電源端子２０と、ＡＧＣ電圧供給端子２１とからなる外部構成部分が設置されており、集積回路１１及びその外部構成部分によって高周波増幅器２２が構成され、この高周波増幅器２２に、テレビジョン信号が入力される入力端子２２Ｉと、ＶＨＦテレビジョン信号が出力される第１出力端子２２Ｖと、ＵＨＦテレビジョン信号が出力される第２出力端子２２Ｕとを設けている。この場合、集積回路１１におけるバイポーラトランジスタ５からなる回路部分及び集積回路１１外における抵抗１５、切替スイッチ１７、バイアス電源１８からなる回路部分は動作切替部を構成している。
【００３４】
そして、集積回路１１において、第１ＦＥＴ１は、ドレインが第２ＦＥＴ２のソースに接続され、ソースが第３ＦＥＴ３のソース、バイポーラトランジスタ５のエミッタ、ダイオード６のアノードにそれぞれ接続され、ゲートが抵抗８、９及びインダクタ１３を介して電源端子２０に接続される。第２ＦＥＴ２は、ドレインが端子１１ｂに接続され、ゲートが端子１１ｅに接続される。第３ＦＥＴ３は、ドレインが第４ＦＥＴ４のソースに接続され、ゲートが端子１１ｄに接続される。第４ＦＥＴ４は、ドレインが端子１１ｃに接続され、ゲートが抵抗１０を通して端子１１ｅに接続される。バイポーラトランジスタ５は、コレクタが抵抗８を通して第１ＦＥＴ１のゲート及び端子１１ｆ、それに抵抗９を通して第４ＦＥＴ４のドレイン及び端子１１ｃに接続され、ベースが抵抗７を通して第３ＦＥＴ３のゲート及び端子１１ｄに接続される。ダイオード６は、カソードが端子１１ａに接続される。
【００３５】
また、集積回路１１の外部において、インダクタ１２は、一端が入力端子２２Ｉと端子１１ａに接続され、他端が接地接続される。インダクタ１３は、一端が電源端子２０に接続され、他端が第２出力端子２２Ｕと端子１１ｃに接続される。インダクタ１４は、一端が電源端子２０に接続され、他端が第１出力端子２２Ｖと端子１１ｂに接続される。抵抗１５は、一端が端子１１ｄに接続され、他端が切替スイッチ１７の可動接点に接続される。抵抗１６は、一端が端子１１ｅに接続され、他端がＡＧＣ電圧供給端子２１に接続される。切替スイッチ１７は、一方の固定接点が接地接続され、他方の固定接点がバイアス電源１８を通して接地接続される。側路コンデンサ１９（１）は端子１１ｆと接地間に接続され、側路コンデンサ１９（２）は端子１１ｄと接地間に接続され、側路コンデンサ１９（３）は端子１１ｅと接地間に接続される。
【００３６】
この実施の形態による高周波増幅器は、次のように動作する。
【００３７】
この高周波増幅器において、第１増幅段を動作状態にする場合は、切替スイッチ１７の可動接点を一方の固定接点側に接続し、端子１１ｄに接地電圧を供給する。このとき、その接地電圧が第３ＦＥＴ３のゲート及びバイポーラトランジスタ５のベースに加わり、第３ＦＥＴ３が非動作状態になり、バイポーラトランジスタ５がオフになる。バイポーラトランジスタ５がオフになると、電源端子２０からインダクタ１３を通して端子１１ｃに供給された電源電圧が抵抗９及び抵抗８を通して第１ＦＥＴ１のゲートに加わり、第１ＦＥＴ１が動作状態になる。これと同時に、電源端子２０からインダクタ１４を通して端子１１ｂに供給された電源電圧が第２ＦＥＴ２のドレインに加わるので、第１ＦＥＴ１とともに第２ＦＥＴ２も動作状態になって、第１増幅段が動作状態になる。一方、電源端子２０からインダクタ１３を通して端子１１ｃに供給された電源電圧が第４ＦＥＴ２のドレインに加わるが、第３ＦＥＴ３が非動作状態になっているので、第２増幅段が非動作状態になっている。これにより、入力端子２２Ｉに供給されたＶＨＦ／ＵＨＦテレビジョン信号は動作状態の第１増幅段で増幅され、増幅されたＶＨＦ／ＵＨＦテレビジョン信号は第１出力端子２２Ｖから次続のＶＨＦ用複同調回路に供給され、そこでＶＨＦテレビジョン信号だけが選択抽出される。
【００３８】
また、この高周波増幅器において、第２増幅段を動作状態にする場合は、切替スイッチ１７の可動接点を他方の固定接点側に接続し、端子１１ｄにバイアス電源１８のバイアス電圧を供給する。このとき、そのバイアス電圧が第３ＦＥＴ３のゲート及びバイポーラトランジスタ５のベースに加わり、第３ＦＥＴ３が動作状態になり、バイポーラトランジスタ５がオンになる。バイポーラトランジスタ５がオンになると、電源端子２０からインダクタ１３を通して端子１１ｃに供給された電源電圧が抵抗９及びバイポーラトランジスタ５を通り、さらにＰＩＮダイオード６及びインダクタ１２を通して接地点に流れ、バイポーラトランジスタ５のコレクタ電圧が接地電圧に近い電圧になるので、その接地電圧に近い電圧が抵抗８を通して第１ＦＥＴ１のゲートに加わるり、第１ＦＥＴ１が非動作状態になる。これと同時に、電源端子２０からインダクタ１３を通して端子１１ｃに供給された電源電圧が第４ＦＥＴ４のドレインに加わるので、第３ＦＥＴ３とともに第４ＦＥＴ４も動作状態になって、第２増幅段が動作状態になる。一方、電源端子２０からインダクタ１４を通して端子１１ｂに供給された電源電圧が第２ＦＥＴ２のドレインに加わるが、第１ＦＥＴ１が非動作状態になっているので、第１増幅段が非動作状態になっている。これにより、入力端子２２Ｉに供給されたＶＨＦ／ＵＨＦテレビジョン信号は動作状態の第２増幅段で増幅され、増幅されたＶＨＦ／ＵＨＦテレビジョン信号は第２出力端子２２Ｕから次続のＵＨＦ用複同調回路に供給され、そこでＵＨＦテレビジョン信号だけが選択抽出される。
【００３９】
第１増幅段または第２増幅段が動作状態にあるとき、図示されないＡＧＣ電圧発生回路から出力されたＡＧＣ電圧がＡＧＣ電圧供給端子２１に供給される。供給されたＡＧＣ電圧は、端子１１ｅから動作状態にある第１増幅段の第２ＦＥＴ２のゲートまたは第２増幅段の第４ＦＥＴ４のゲートに加わり、よく知られているように供給されたＡＧＣ電圧の大きさに応じて第１増幅段または第２増幅段の信号利得を制御する。
【００４０】
すなわち、第１増幅段が動作状態にあるとき、入力端子２２Ｉに供給されたテレビジョン信号の振幅値が大きい場合、ＡＧＣ電圧供給端子２１に供給されるＡＧＣ電圧がその振幅値に応じて小さくなり、第１ＦＥＴ１及び第２ＦＥＴ２の各ドレインーソース間を流れる電流を減少させ、第１増幅段の信号利得を減少させるように動作する。一方、入力端子２２Ｉに供給されたテレビジョン信号の振幅値が小さい場合、ＡＧＣ電圧供給端子２１に供給されるＡＧＣ電圧がその振幅値に応じて大きくなり、第１ＦＥＴ１及び第２ＦＥＴ２の各ドレインーソース間を流れる電流を増大させ、第１増幅段の信号利得を増大させるように動作する。
【００４１】
同じように、第２増幅段が動作状態にあるとき、入力端子２２Ｉに供給されたテレビジョン信号の振幅値が大きい場合、ＡＧＣ電圧供給端子２１に供給されるＡＧＣ電圧がその振幅値に応じて小さくなり、第３ＦＥＴ３及び第４ＦＥＴ４の各ドレインーソース間を流れる電流を減少させ、第２増幅段の信号利得を減少させるように動作する。一方、入力端子２２Ｉに供給されたテレビジョン信号の振幅値が小さい場合、ＡＧＣ電圧供給端子２１に供給されるＡＧＣ電圧がその振幅値に応じて大きくなり、第３ＦＥＴ３及び第４ＦＥＴ４の各ドレインーソース間を流れる電流を増大させ、第２増幅段の信号利得を増大させるように動作する。
【００４２】
また、第１ＦＥＴ１及び第２ＦＥＴ２の各ドレインーソース間を流れる電流または第３ＦＥＴ３及び第４ＦＥＴ４の各ドレインーソース間を流れる電流が減少する、すなわち、第１増幅段または第２増幅段の各信号利得が減少するとき、第１ＦＥＴ１及び第３ＦＥＴ３のソースに直列接続されているＰＩＮダイオード６を流れる電流も同様に減少し、ＰＩＮダイオード６のインピーダンスが増大する、すなわち、ＰＩＮダイオード６による信号損失が増大する。一方、第１ＦＥＴ１及び第２ＦＥＴ２の各ドレインーソース間を流れる電流または第３ＦＥＴ３及び第４ＦＥＴ４の各ドレインーソース間を流れる電流が増大する、すなわち、第１増幅段または第２増幅段の各信号利得が増大するとき、ＰＩＮダイオード６を流れる電流も増大し、ＰＩＮダイオード６のインピーダンスが減少する、すなわち、ＰＩＮダイオード６による信号損失も減少する。このように、ＰＩＮダイオード６をドレインーソース間の電流通路に挿入接続した場合、ＡＧＣによる信号利得の増減をより助長させることが可能になる。
【００４３】
次に、図２は、図１に図示された高周波増幅器を用いたＶＨＦ／ＵＨＦテレビジョンチューナの要部構成を示すブロック図である。図２において、図１に示された構成要素と同じ構成要素については同じ符号付けている。
【００４４】
図２に図示されるように、このＶＨＦ／ＵＨＦテレビジョンチューナは、図１に図示された高周波増幅器２２と、アンテナ入力端子２３と、ハイパスフィルタ（ＨＦ）２４と、ＶＨＦ用複同調回路（ＤＴＮ）２５Ｖと、ＵＨＦ用複同調回路（ＤＴＮ）２５Ｕと、ＶＨＦ用増幅器（ＡＭＰ）２６Ｖと、ＵＨＦ用増幅器（ＡＭＰ）２６Ｕと、ＶＨＦ用ミキサ（ＭＩＸ）２７Ｖと、ＵＨＦ用ミキサ（ＭＩＸ）２７Ｕと、第１中間周波信号出力端子２８Ｖと、第２中間周波信号出力端子２８Ｕからなっている。そして、高周波増幅器２２の第１増幅段、ＶＨＦ用複同調回路２５Ｖ、ＶＨＦ用増幅器２６Ｖ、ＶＨＦ用ミキサ２７Ｖ、第１中間周波信号出力端子２８Ｖからなる回路部分がＶＨＦチューナ部を構成しており、高周波増幅器２２の第２増幅段、ＵＨＦ用複同調回路２５Ｕ、ＵＨＦ用増幅器２６Ｕ、ＵＨＦ用ミキサ２７Ｕ、第２中間周波信号出力端子２８Ｕからなる回路部分がＵＨＦチューナ部を構成している。
【００４５】
ここで、この実施の形態によるＶＨＦ／ＵＨＦテレビジョンチューナの動作について説明する。
【００４６】
始めに、高周波増幅器２２の第１増幅段が動作状態にあるときの動作について述べる。
【００４７】
ＶＨＦ／ＵＨＦテレビジョン信号がアンテナ入力端子２３に供給されると、そのテレビジョン信号は、ハイパスフィルタ２４において不要な信号成分が除去され、高周波増幅器２２に供給される。このとき、高周波増幅器２２は、入力されたテレビジョン信号を第１増幅段で増幅し、増幅したテレビジョン信号を第１出力端子２２Ｖから次続のＶＨＦ用複同調回路２５Ｖに供給する。ＶＨＦ用複同調回路２５Ｖは、入力されたテレビジョン信号の中のＶＨＦテレビジョン信号を選択抽出し、得られたＶＨＦテレビジョン信号をＶＨＦ用増幅器２６Ｖに供給する。ＶＨＦ用増幅器２６Ｖは、このＶＨＦテレビジョン信号を所定信号レベルになるように増幅し、ＶＨＦ用ミキサ２７Ｖに供給する。ＶＨＦ用ミキサ２７Ｖは、ＶＨＦテレビジョン信号と図示されていないＶＨＦ用局部発振器から出力された局部発振信号とを周波数混合して第１中間周波信号を形成し、得られた第１中間周波信号を第１中間周波信号出力端子２８Ｖを通して次続回路に供給する。
【００４８】
次に、高周波増幅器２２の第２増幅段が動作状態にあるときの動作について述べる。
【００４９】
ＶＨＦ／ＵＨＦテレビジョン信号がアンテナ入力端子２３に供給されると、そのテレビジョン信号は、ハイパスフィルタ２４において不要な信号成分が除去され、高周波増幅器２２に供給される点は、前述の動作と同じである。このとき、高周波増幅器２２は、入力されたテレビジョン信号を第２増幅段で増幅し、増幅したテレビジョン信号を第２出力端子２２Ｕから次続のＵＨＦ用複同調回路２５Ｕに供給する。ＶＨＦ用複同調回路２５Ｕは、入力されたテレビジョン信号の中のＵＨＦテレビジョン信号を選択抽出し、得られたＵＨＦテレビジョン信号をＵＨＦ用増幅器２６Ｕに供給する。ＵＨＦ用増幅器２６Ｕは、このＵＨＦテレビジョン信号を所定信号レベルになるように増幅し、ＵＨＦ用ミキサ２７Ｕに供給する。ＵＨＦ用ミキサ２７Ｕは、ＵＨＦテレビジョン信号と図示されていないＵＨＦ用局部発振器から出力された局部発振信号とを周波数混合して第２中間周波信号を形成し、得られた第２中間周波信号を第２中間周波信号出力端子２８Ｕを通して次続回路に供給する。
【図面の簡単な説明】
【００５０】
【図１】本発明による高周波増幅器の一つの実施の形態に係わるもので、その要部構成を示す回路図である。
【図２】図１に図示された高周波増幅器を用いたＶＨＦ／ＵＨＦテレビジョンチューナの要部構成を示すブロック図である。
【図３】既知のＶＨＦ／ＵＨＦテレビジョンチューナの構成の一例を示すブロック図であっ
【図４】ＶＨＦ／ＵＨＦテレビジョンチューナにおける高周波共用増幅器の構成を示す回路図である。
【符号の説明】
【００５１】
１  第１ＦＥＴ
２  第２ＦＥＴ
３  第３ＦＥＴ
４  第４ＦＥＴ
５  バイポーラトランジスタ
６  ＰＩＮダイオード
７、８、９、１０、１５、１６  抵抗
１１  集積回路
１２、１３、１４  インダクタ
１７  切替スイッチ
１８  バイアス電源
１９（１）、１９（２）、１９（３）  側路コンデンサ
２０  電源端子
２１  ＡＧＣ電圧供給端子
２２  高周波増幅器
２２Ｉ  入力端子
２２Ｖ  第１出力端子
２２Ｕ  第２出力端子
２３  アンテナ入力端子
２４  ハイパスフィルタ（ＨＦ）
２５Ｖ  ＶＨＦ用複同調回路（ＤＴＮ）
２５Ｕ  ＵＨＦ用複同調回路（ＤＴＮ）
２６Ｖ  ＶＨＦ用増幅器（ＡＭＰ）
２６Ｕ  ＵＨＦ用増幅器（ＡＭＰ）
２７Ｖ  ＶＨＦ用ミキサ（ＭＩＸ）
２７Ｕ  ＵＨＦ用ミキサ（ＭＩＸ）
２８Ｖ  第１中間周波信号出力端子
２８Ｕ  第２中間周波信号出力端子
【図１】
2006135518.tif 000003
【図２】
2006135518.tif 000004
【図３】
2006135518.tif 000005
【図４】
2006135518.tif 000006